(57)【特許請求の範囲】
【請求項１】
胴部５より口頚部６を起立するとともに、先端部に少量液供給手段Ａを備えた容器体２と、口頚部に着脱可能に嵌合させたキャップ３とを備え、容器体２両側のキャップ嵌合部分下方に両下端部を前後方向の揺動が可能に連結してキャップ両側面外方及び上面上方に亘って掛け渡すとともに、収納液の用途表示Ｂを施した揺動板４を設けてなり、該揺動板４を、キャップ嵌合部分下方の容器体上部に嵌合させた嵌合枠14上面左右にそれぞれ薄肉ヒンジ15を介して下端縁を連結し、且つ、伏臥状態で係止可能に構成したことを特徴とする液体容器。
【請求項２】
上記用途表示Ｂが、使用目的に応じて刻設した立体図形表示B1である請求項１記載の液体容器。
【発明の詳細な説明】
【０００１】
【発明の属する技術分野】
本発明は液体容器に関する。
【０００２】
【従来の技術】
口頚部先端部に少量液供給手段を備えた容器体と、口頚部に着脱可能に嵌合させたキャップとを備えた液体容器が知られている。
【０００３】
上記少量液供給手段とは、例えば、口頚部先端に嵌着するとともに、先端が小径に形成されたノズルタイプのもの、或いは口頚部先端にスポンジ等の多孔質部材を固定し、該部材を介して液を滲み出すもの、或いは口頚部先端に嵌着したノズルの先端開口を、バネ等により外方に付勢させて押し込み可能に弁体を備えたもの等が知られている。
【０００４】
これらは、例えば、目薬を収納したり、或いは水虫用の薬液を収納したり等種々の液を収納する。
【０００５】
【発明が解決しようとする課題】
従来のこの種の容器は、上記した如く種々の液を収納するため、その内容物によっては使用間違いを生じた場合に問題となる。例えば、水虫の薬が収納された容器を目薬の容器と間違えたりすると大変であり、その逆の場合には、害は無くても効果もないという様な問題となる。
【０００６】
また、これらの容器では、一般にその使用目的等の用途表示を容器体の胴部外周部分に表示しているのが普通であるが、これら容器は、その胴部を掴んで使用するため、表示が手で隠れて判り難く、そのため、誤用を引き起こす原因となる。
【０００７】
本発明は上記した点に鑑みなされたもので、胴部を持っての使用にも係わらず、収納液の種類が簡単確実に確認できて誤用の虞がなく、また、その構造も簡単で安価に製造できる利点を兼ね備えた液体容器を提案するものである。
【０００８】
【課題を解決するための手段】
第１の手段として、胴部５より口頚部６を起立するとともに、先端部に少量液供給手段Ａを備えた容器体２と、口頚部に着脱可能に嵌合させたキャップ３とを備え、容器体２両側のキャップ嵌合部分下方に両下端部を前後方向の揺動が可能に連結してキャップ両側面外方及び上面上方に亘って掛け渡すとともに、収納液の用途表示Ｂを施した揺動板４を設けた。
【０００９】
第２の手段として、前記第１の手段に於いて、上記用途表示Ｂが、使用目的に応じて刻設した立体図形表示B1である如く構成した。
【００１０】
第３の手段として、前記第１の手段に於いて、上記揺動板４が、キャップ嵌合部分下方の容器体上部に嵌合させた嵌合枠14上面左右にそれぞれ薄肉ヒンジ15を介して下端縁を連結し、且つ、伏臥状態で係止可能に構成した揺動板４である如く構成した。
【００１１】
【発明の実施の形態】
以下、本発明の実施例の形態を図面を参照して説明する。
【００１２】
本発明の容器１は、容器体２と、キャップ３と、揺動板４とを備えている。
【００１３】
容器体２は、胴部５より口頚部６を起立したもので、先端部に少量液供給手段Ａを備えている。胴部５は必要に応じて圧搾を可能に構成すると良く、その材質，肉厚等を適宜選択することにより行える。
【００１４】
図示例では、筒状の胴部５の上端部に、上から小径の第１縮径部2a，大径の第２縮径部2bを階段状に順次形成しており、第１縮径部2a外周上部及び第２縮径部2b外周上部にそれぞれ第１係止突条７及び第２係止突条８を突周設している。また、口頚部６は更に縮径して外周に螺条を周設している。
【００１５】
少量液供給手段Ａは、少量の液の滴下，塗布，注出等を行う手段で、例えば、目薬容器の如く、液の滴下を目的として先端部をテーパ状に広げた細孔を備えたノズルを嵌着したもの、或いは塗布を目的として多孔質部材を固定し、該部材を介して液を滲み出し塗布するもの、或いは、口頚部先端に嵌着したノズルの先端開口を、バネ等により外方に付勢させて押し込み可能に弁体を設けたもの等、従来この種の液体容器に使用されている手段を採用できる。
【００１６】
図示例では口頚部６の先端には筒状のノズル９を嵌着固定し、その先端開口を閉塞する棒栓10を、図示しないコイルスプリングにより常時上方へ付勢させており、棒栓10の押し込みにより液の注出が可能となる如く構成している。
【００１７】
キャップ３は、口頚部６に着脱可能に嵌合させたもので、図示例では、口頚部６外周に螺着させた周壁11上端縁より少量液供給手段Ａ上方を被覆する頂壁12を延設して着脱自在に装着している。また、頂壁12上面中央に揺動板４を係止するための凹部13を形成している。
【００１８】
揺動板４は、容器体２両側のキャップ嵌合部分下方に両下端部を前後方向の揺動が可能に連結してキャップ両側面外方及び上面上方に亘って掛け渡すとともに、収納液の用途表示Ｂを施して起伏可能に設けている。この揺動板４は、収納液の内容を誤認しない様に設けたもので、容器体胴部５を持っての使用時に、仮に胴部５外周の表示が持った手で隠れることがあっても、この揺動板４の存在で内容液の種類を容易に把握できる様に構成している。
【００１９】
用途表示Ｂとして、種々の形態を採用でき、例えば、文字により内容液の種類を表示することができる。文字の印字箇所は、揺動板の前後面或いは上面より必要に応じて選択すれば良い。
【００２０】
また、用途表示Ｂとして、使用目的に応じた立体図形表示B1を刻設しても良い。例えば、水虫用の収納液の場合に、図１に示す如く、足の指に似せた立体図形表示B1を設けたり、目薬用の収納液の場合には、図５に示す如く、目に似せた立体図形表示B1を設けたりする。その外にも図示しないが、その使用目的に応じた種々の立体図形表示を採用できる。尚、図５に示す実施例の場合、少量液供給手段Ａは、先端をテーパ状に広げた細孔を備えた滴下用のノズル９を嵌着している。
【００２１】
揺動板４の容器体への装着方法は種々採用できるが、図示例では、キャップ嵌合部分下方の容器体上部に嵌合させた嵌合枠14上面左右にそれぞれ薄肉ヒンジ15を介して下端縁を連結するとともに、伏臥状態で係止可能に構成している。
【００２２】
嵌合枠14は、第２縮径部2b外周に、その第２係止突条８下面に強制的に係合突条16を係合させて上方への抜け出しを防止して嵌合させた周壁14a の上端縁より、第１縮径部2aと第２縮径部2bとの間の水平壁面上にフランジ14b を延設した縦断面鉤型の環状をなしている。この嵌合枠14のフランジ14b 上面より薄肉ヒンジ15を介して揺動板４を立設している。揺動板４の下端部内側には各々切欠き17を設けて第１係止突条７を逃げ、揺動板４を倒した際に、第１係止突条７下面に切欠き17上方の内側縁コーナー部分が係止可能に構成している。
【００２３】
また、揺動板４上部中央下面に、キャップ３の凹部13に嵌合する突部18を突設して、起立状態で係止可能に構成している。
【００２４】
尚、上記各部材は合成樹脂により形成すると良い。
【００２５】
【発明の効果】
以上説明した如く、本発明容器は、容器体両側のキャップ嵌合部分下方に両下端部を前後方向の揺動が可能に連結してキャップ両側面外方及び上面上方に亘って掛け渡すとともに、収納液の用途表示Ｂを施した揺動板を起伏可能に設けているため、この揺動板の存在で収納液の内容を容易に把握でき、例えば、この種の容器に収納される目薬と水虫薬とを誤認して、誤用するという様な不都合を解消するものである。
【００２６】
また、第２の手段の容器では、用途表示が図形的に表されているため、更に素早く確実に内容液の把握を行えるものである。
【００２７】
また、第３の手段の容器では、揺動板を倒した状態で係止させておくことが出来るため、液の注出操作をより容易に行える利点を兼ね備えている。
【図面の簡単な説明】
【図１】本発明の一実施例を示す半断面図である。
【図２】同実施例の側面図である。
【図３】同実施例のキャップを外して揺動板を倒した状態の要部斜視である。
【図４】同実施例の使用状況の要部斜視図である。
【図５】本発明の他の実施例を示す半多面図である。
【符号の説明】
２…容器体，３…キャップ，４…揺動板，５…胴部，６…口頚部，
14…嵌合枠，15…薄肉ヒンジ，Ａ…少量液供給手段，Ｂ…用途表示，
B1…立体図形表示
【図１】
0003808222.tif 000002
【図２】
0003808222.tif 000003
【図３】
0003808222.tif 000004
【図４】
0003808222.tif 000005
【図５】
0003808222.tif 000006